(57)【特許請求の範囲】
【請求項１】
画像を表示する表示パネルと、
前記表示パネルの前側に設けられ、孔部が形成されている保護パネル部材と、を備え、
前記表示パネルは透光性接着剤にて前記保護パネル部材に接着されている表示装置であって、
前記保護パネル部材の前面に当接し、前記保護パネル部材を補強する補強部材を更に備え、
この補強部材は、前記保護パネル部材の前記孔部を貫通し、前記保護パネル部材の後側に係止される係止片を有する
ことを特徴とする表示装置。
【請求項２】
前記補強部材は、前記保護パネル部材の前面に設けられるリング状の環状装飾部と、係止爪を有する前記係止片と、を備える
ことを特徴とする請求項１に記載の表示装置。
【請求項３】
前記保護パネル部材の外周を覆う枠体を更に備え、
前記補強部材の前記係止片は、前記枠体に係止される弾性係止片である
ことを特徴とする請求項２に記載の表示装置。
【発明の詳細な説明】
【技術分野】
【０００１】
本発明は、画像を表示する表示パネル（液晶表示パネル等）を備えた表示装置に関するものである。
【背景技術】
【０００２】
従来より、保護パネル部材に表示パネルを接着した表示装置が種々提案されており、例えば特許文献１に開示されている。斯かる表示装置は、保護パネル部材と表示パネルとを透光性接着剤で接着した構造になっている。これにより、保護パネル部材と表示パネルとの間の空気層がなくなり、表示パネルと空気層との界面、及び、保護パネル部材と空気層との界面での外光反射が減少して、表示装置の画質が向上する。
【先行技術文献】
【特許文献】
【０００３】
【特許文献１】特開２００９−２５８３３号公報
【発明の概要】
【発明が解決しようとする課題】
【０００４】
しかしながら、経年劣化によって保護パネル部材が湾曲して、部分的に表示パネルが保護パネル部材から剥がれてしまう虞があった。表示パネルが保護パネル部材から剥がれた場合、その剥がれた個所に空気が侵入してしまうため、表示品位が低下するという問題を有していた。
本発明は、この問題に鑑みなされたものであり、経年劣化によって保護パネル部材が変形する虞が少ない表示装置を提供するものである。
【課題を解決するための手段】
【０００５】
本発明は、画像を表示する表示パネル１０と、前記表示パネル１０の前側に設けられ、孔部２０ａが形成されている保護パネル部材２０と、を備え、前記表示パネル２０は透光性接着剤１５にて前記保護パネル部材２０に接着されている表示装置であって、前記保護パネル部材２０の前面に当接し、前記保護パネル部材２０を補強する補強部材７０を更に備え、この補強部材７０は、前記保護パネル部材２０の前記孔部２０ａを貫通し、前記保護パネル部材２０の後側に係止される係止片７２を有するものである。
【０００６】
また、本発明は、前記補強部材７０は、前記保護パネル部材２０の前面に設けられるリング状の環状装飾部７１と、係止爪７２ａを有する前記係止片７２と、を備えたものである。
【０００７】
また、本発明は、前記保護パネル部材２０の外周を覆う枠体３０を更に備え、前記補強部材７０の前記係止片７２は、前記枠体３０に係止される弾性係止片７２である。
【発明の効果】
【０００８】
補強部材が保護パネル部材の前面に当接しているため、保護パネル部材が補強部材によって補強され、経年劣化によって保護パネル部材が変形する虞が少なくなる。
【図面の簡単な説明】
【０００９】
【図１】本発明の実施形態を示す正面図。
【図２】同上実施形態を示す断面図。
【図３】同上実施形態を示すカバーパネルの正面図。
【図４】同上実施形態を示す警告表示部の拡大正面図及び拡大断面図。
【図５】同上実施形態を示すブロック図。
【発明を実施するための形態】
【００１０】
以下、添付図面に基づいて、本発明の一実施形態を説明する。車両用表示装置は、液晶表示パネル（表示パネル）１０，カバーパネル（保護パネル部材）２０，枠体３０，回路基板４０，下ケース５０，中ケース６０，装飾部材（補強部材）７０を備えている。
【００１１】
液晶表示パネル１０は、液晶セル，バックライトユニット等を備えたＴＦＴ型カラー液晶モジュールからなるものであり、車両速度等の車両情報を画像にて表示する。液晶表示パネル１０は、透光性接着剤１５にて接着されており、カバーパネル２０の後面に密着されている。カバーパネル２０に液晶表示パネル１０等の表示パネルを接着することは、オプティカルボンディングと称されることもある。
【００１２】
透光性接着剤１５は、例えば、無色透明な接着剤であり、厚さは５０μｍ〜１０００μｍである。透光性接着剤１５は、窓部２５ｂを覆うように形成される。透光性接着剤１５は、例えば、１．４〜１．５５の屈折率を有する。透光性接着剤１５は、初期的に液状であり、製造工程の中で硬化される。液状状態では、透光性接着剤１５の粘度は、２５００〜５０００ｍＰａ・ｓ程度である。透光性接着剤１５は、液状であることが好ましいが、シート状であっても良い。透光性接着剤１５は、シリコーン接着剤であることが好ましいが、ウレタン系、アクリル系であっても良い。
【００１３】
カバーパネル２０は、透光性基材２１，低反射層２２，遮光層２５を有している。カバーパネル２０の透光性基材２１は、平板形状のアクリル（ＰＭＭＡ）からなるものであり、正面視で矩形になっている。カバーパネル２０の低反射層２２は、前面保護層２２の前面に形成されている。カバーパネル２０の低反射層２２は、シリコーンやフッ化マグネシウム等の薄膜積層体からなり、光の干渉を利用することにより反射を低減するものである。
【００１４】
カバーパネル２０の遮光層２５は、黒色印刷層からなるものであり、透光性基材２１の後面に形成されている。カバーパネル２０の遮光層２５は、液晶表示パネル１０の画像を透視する矩形の窓部２５ｂと、複数の警告表示部２５ｃとを有している。警告表示部２５ｃは、黒色印刷層にて形成された警告マークからなるものである。カバーパネル２０には、後述する装飾部材７０の弾性係止片７２が貫通する３個の孔部２０ａが形成されている。
【００１５】
枠体３０は、ＡＥＳ等の樹脂からなるものであり、インサート成型等の方法でカバーパネル２０が一体に形成されている。枠体３０は、カバーパネル２０の側端面を覆うように、カバーパネル２０の外周を覆っている。枠体３０内の空間には、液晶表示パネル１０が収容されている。枠体３０は、内側に突出した支持部３１を有しており、この支持部３１でカバーパネル２０を支持している。
【００１６】
回路基板４０は、ガラスエポキシ樹脂からなる基材に銅箔からなる配線パターンを形成したものであり、発光素子４１が搭載されている。回路基板４０には、図示しない可撓性配線部材によって液晶表示パネル１０が電気的に接続されている。発光素子４１は、警告表示部２５ｃの後方に配置されている。下ケース５０は、ＡＥＳやＰＰ等の樹脂からなるものである。下ケース５０は、枠体３０の後側に固定されている。下ケース５０には、放熱用の貫通孔を形成しても良い。
【００１７】
中ケース６０は、不透明な樹脂（ＰＰ等）からなるものであり、この中ケース６０の後面側に回路基板４０が配置されている。中ケース６０は、図示しないフランジ部によって下ケース５０に保持されている。中ケース６０は、発光素子４１に対応する個所に形成された貫通孔６１を有している。
【００１８】
装飾部材７０は、環状装飾部７１と、３個の弾性係止片７２とを有している。装飾部材７０の環状装飾部７１は、断面半円形のリング状になっており、カバーパネル２０の前面に配設されている。装飾部材７０の弾性係止片７２は、係止爪７２ａを有しており、この係止爪７２ａが枠体３０の支持部３１に係止されている。装飾部材７０の弾性係止片７２は、カバーパネル２０の孔部２０ａを貫通している。
【００１９】
図５は、車両用表示装置の電気的構成を示すブロック図である。マイコン１００は、ＣＰＵ１０１，ＲＯＭ１０２，ＲＡＭ１０３を有している。速度センサ１１０は、車両速度を検出し、マイコン１００に速度データを出力する。マイコン１００は、ＲＯＭ１０２に格納されている所定のプログラムに基づいて、液晶表示パネル１０，発光素子４１を駆動する。
【００２０】
本実施形態は、画像を表示する液晶表示パネル１０と、液晶表示パネル１０の前側に設けられたカバーパネル２０と、を備え、表示パネル１０は透光性接着剤１５にてカバーパネル２０に接着されている表示装置であって、カバーパネル２０の前面に当接し、カバーパネル２０を補強する装飾部材７０を更に備えたものであり、装飾部材７０の環状装飾部７１が、カバーパネル２０の前面に当接しているため、カバーパネル２０が装飾部材７０によって補強される。
【００２１】
なお、本発明は、本実施形態に限定されるものではなく、種々の変形が可能である。例えば、液晶表示パネル１０は、有機ＥＬ（Electro Luminescence）表示パネルであっても良い。また、装飾部材７０の弾性係止片７２は無くても良く、例えば、カバーパネル２０の前面に環状装飾部７１を両面粘着テープにて貼着しても良い。また、環状装飾部７１は、断面半円形であったが、例えば、断面三角形であっても良い。
【符号の説明】
【００２２】
１０  液晶表示パネル（表示パネル）
１５  透光性接着剤
２０  カバーパネル（保護パネル部材）
２１  透光性基材
２２  低反射層
３０  枠体
７０  装飾部材（補強部材）
７１  環状装飾部
７２  弾性係止片
【図１】
0006578873.tif 000002
【図２】
0006578873.tif 000003
【図３】
0006578873.tif 000004
【図４】
0006578873.tif 000005
【図５】
0006578873.tif 000006